(57)【要約】      （修正有）【課題】良好な光源の捕らえ効果を備えた側面照射式ＬＥＤ背光モジュールを提供する。【解決手段】反射シート１４、銅の回路層１２、複数のＬＥＤ素子１３、導光板１５と複数の積み上げ層１７とを備え、反射シートを折り曲げてシェイドに形成することができ、銅の回路層はシェイドの外側に貼り付けており、複数のＬＥＤ素子を銅の回路層に設け、反射シートに備える複数の第１穴に対応してシェイドの内部に配置し、銅の回路層に設けられた複数のＬＥＤ素子を対応して複数の積み上げ層に半田付けする。積み上げ層を設けることにより、シェイドに内設されたＬＥＤ素子の有効な光出射面の面積をＬＥＤ素子の光出射面の面積に近付け、ＬＥＤ素子の出射光が有効に導光板の光入射面に入射でき、良好な光源の捕らえ効果を実現できる。【選択図】図３
0003167521.tif 000002
【実用新案登録請求の範囲】
【請求項１】
良好な光源の捕らえ効果を備えた側面照射式ＬＥＤ背光モジュールであって、
複数の第１穴を備え、折り曲げてシェイドを形成する反射シートと、
前記シェイドの外側に貼り付けられ、第１表面と第２表面を備え、前記第１表面に複数の半田パッドを有する銅の回路層と、
銅の回路層の前記第１表面に設けられ、光出射面を備える複数のＬＥＤ素子と、
前記銅の回路層を前記反射シートの外側に貼り付けるときは、複数の前記ＬＥＤ素子は複数の前記第１穴に対応して前記シェイドの内部に配置され、
前記シェイドの内部に収容され、光出射面を複数の前記ＬＥＤ素子の前記光出射面に対向して設置し前記光出射面からの出射光源を受け入れて、光線を前記光出射面に拡散させる導光板と、
導電性を有し、それぞれ前記銅の回路層に備える複数の半田パッドに設ける複数の積み上げ層、とを備えた良好な光源の捕らえ効果を備えた側面照射式ＬＥＤ背光モジュール。
【請求項２】
前記導光板の底面に貼り付ける底部反射シートをさらに備え、前記底面が前記光出射面に対向されていることを特徴とする請求項１記載の良好な光源の捕らえ効果を備えた側面照射式ＬＥＤ背光モジュール。
【請求項３】
前記銅の回路層に備える前記第２表面に貼り付ける良好な伝熱効果の薄い金属層をさらに備え、複数の前記ＬＥＤ素子が発光するとき、前記銅の回路層の発生熱を伝導させ、放熱させることを特徴とする請求項２記載の良好な光源の捕らえ効果を備えた側面照射式ＬＥＤ背光モジュール。
【請求項４】
反射シートの底辺、反射シートの長手側と反射シートの短辺をさらに備え、折り曲げることにより、前記反射シートの底辺、前記反射シートの長手側と前記反射シートの短辺を前記シェイドに形成し複数の前記ＬＥＤ素子と前記導光板を収容することを特徴とする請求項１記載の良好な光源の捕らえ効果を備えた側面照射式ＬＥＤ背光モジュール。
【請求項５】
複数の前記第１穴は前記反射シートの長手側に形成されていることを特徴とする請求項４記載の良好な光源の捕らえ効果を備えた側面照射式ＬＥＤ背光モジュール。
【請求項６】
前記反射シートの長手側が延在して、前記導光板の底面に貼り付けられ、前記底面が前記光出射面に対向されていることを特徴とする請求項４記載の良好な光源の捕らえ効果を備えた側面照射式ＬＥＤ背光モジュール。
【請求項７】
前記反射シートの底辺と前記反射シートの短辺との間に第１切欠きを備え、かつ前記反射シートの底辺と前記反射シートの短辺との間に第２切欠きを備えることを特徴とする請求項４記載の良好な光源の捕らえ効果を備えた側面照射式ＬＥＤ背光モジュール。
【請求項８】
前記薄い金属層の部材はアルミ、ステンレスまたは銅のいずれかであることを特徴とする請求項３記載の良好な光源の捕らえ効果を備えた側面照射式ＬＥＤ背光モジュール。
【請求項９】
良好な光源の捕らえ効果を備えた側面照射式ＬＥＤ背光モジュールであって、
複数の第２穴を備えたシェイドと、
前記シェイドの内面に貼り付け、複数の第１穴を備えた反射シートは、前記反射シートを前記シェイドの内面に貼り付けるとき、複数の前記第１穴はそれぞれ複数の前記第２穴に対応される、
前記シェイドの外側に貼り付けられ、第１表面と第２表面を備え、前記第１表面に複数の半田パッドを有する銅の回路層と、
銅の回路層の第１表面に設けられ、光出射面を備える複数のＬＥＤ素子は、
前記銅の回路層を前記シェイドの外側に貼り付けるときは、複数の前記ＬＥＤ素子は複数の前記第１穴と前記第２穴に対応して前記シェイドの内部に設置され、
前記シェイドの内部に収容され、前記光入射面を複数の前記ＬＥＤ素子の前記光出射面に対向して設置し、前記光出射面からの出射光源を受け入れて、光線を前記光出射面に拡散させる導光板と、
導電性を有しそれぞれ前記銅の回路層に備える複数の半田パッドに設ける複数の積み上げ層、とを備えた良好な光源の捕らえ効果を備えた側面照射式ＬＥＤ背光モジュール。
【請求項１０】
前記導光板の底面に貼り付ける底部反射シートをさらに備え、前記底面が前記光出射面に対向されていることを特徴とする請求項９記載の良好な光源の捕らえ効果を備えた側面照射式ＬＥＤ背光モジュール。
【請求項１１】
前記銅の回路層に備える前記第２表面に貼り付ける良好な伝熱効果の薄い金属層をさらに備え、複数の前記ＬＥＤ素子が発光するとき、前記銅の回路層の発生熱を伝導させ、放熱させることを特徴とする請求項９記載の良好な光源の捕らえ効果を備えた側面照射式ＬＥＤ背光モジュール。
【請求項１２】
シェイドの底辺、シェイドの長手側とシェイドの短辺をさらに備え、折り曲げることにより、前記シェイドの底辺、前記シェイドの長手側と前記シェイドの短辺は特定外形を備える前記シェイドに形成し複数の前記ＬＥＤ素子と前記導光板を収容することを特徴とする請求項９記載の良好な光源の捕らえ効果を備えた側面照射式ＬＥＤ背光モジュール。
【請求項１３】
複数の前記第２穴は前記シェイドの長手側に形成されていることを特徴とする請求項１２記載の良好な光源の捕らえ効果を備えた側面照射式ＬＥＤ背光モジュール。
【請求項１４】
前記反射シートはさらに反射シートの底辺、反射シートの長手側と反射シートの短辺とを備え、前記反射シートの底辺を前記シェイドの底辺に貼り付け、前記反射シートの長手側と前記反射シートの短辺をそれぞれ前記シェイドの長手側と前記シェイドの短辺に貼り付けることにより、前記反射シートを安定に前記シェイドに貼り付けされると共に、前記反射シートと前記シェイドと結合するとき、前記反射シートが破損し、光源反射の効率低下を防止できることを特徴とする請求項１２記載の良好な光源の捕らえ効果を備えた側面照射式ＬＥＤ背光モジュール。
【請求項１５】
複数の前記第１穴は前記反射シートの長手側に形成されていることを特徴とする請求項１４記載の良好な光源の捕らえ効果を備えた側面照射式ＬＥＤ背光モジュール。
【請求項１６】
前記薄い金属層の部材はアルミ、ステンレスまたは銅のいずれかであることを特徴とする請求項１１記載の良好な光源の捕らえ効果を備えた側面照射式ＬＥＤ背光モジュール。
【考案の詳細な説明】
【技術分野】
【０００１】
本考案は一種の側面照射式ＬＥＤ背光モジュールに関し、特に複数の積み上げ層を備え、良好な光源の捕らえ効果を備えた側面照射式ＬＥＤ背光モジュールに関する。
【背景技術】
【０００２】
液晶表示装置は現在でもっとも幅広く使用されている表示装置であり、例えばテレビ、携帯電話機（ｍｏｂｉｌｅ  ｐｈｏｎｅ）、スマートフォン（ｓｍａｒｔ  ｐｈｏｎｅ）、ノートパソコンと携帯型情報端末（ｐｅｒｓｏｎａｌ  ｄｉｇｉｔａｌ  ａｓｓｉｓｔａｎｔ，  ＰＤＡ）等に大量に応用されている。
【０００３】
通常、液晶表示装置は光源を提供するために、背光モジュールを設置する必要がある。一方、携帯電話機（ｍｏｂｉｌｅ  ｐｈｏｎｅ）、スマートフォン（ｓｍａｒｔ  ｐｈｏｎｅ）、ノートパソコン、携帯型情報端末（ｐｅｒｓｏｎａｌ  ｄｉｇｉｔａｌ  ａｓｓｉｓｔａｎｔ，  ＰＤＡ）で使用する液晶表示装置は薄型液晶表示装置である。よって、これらの製品に適用する液晶表示装置の背光モジュールも合わせて調整する必要がある。
図１は公知技術の側面照射式ＬＥＤ背光モジュールの側面図を示したもので、図示のように、側面照射式ＬＥＤ背光モジュール１’はシェイド１１’、反射シート１４’、回路基板１２’、複数のＬＥＤ素子１３’、一つの導光板１５’および一つの底部反射シート１６’を備える。そのうち、反射シート１４’はシェイド１１’の底部１１１’の表面に設けられており、回路基板１２’は絶縁熱伝導グルー１７’により、シェイド１１’の長手側１１２’の表面に設けられている。このほか、該シェイド１１’の短辺１１３’を折り曲げて、導光板１５’をシェイド１１’の内部に組み込むことができる。
【考案の概要】
【考案が解決しようとする課題】
【０００４】
前述した側面照射式ＬＥＤ背光モジュール１’は公知技術の背光モジュールであり、良好な光源の捕らえ効果を有する。さらに、直下型ＬＥＤ背光モジュール（ｄｉｒｅｃｔ  ｔｙｐｅ  ＬＥＤ  ｂａｃｋｌｉｇｈｔ  ｍｏｄｕｌｅ）に比べ、前述側面照射式ＬＥＤ背光モジュール１’は薄型の優位性がある。このため、主に携帯電話機、スマートフォン、ノートパソコンと携帯型情報端末の液晶表示装置に使用されている。
しかし、図１に示したように、複数のＬＥＤ素子１３’と回路基板１２’ともシェイド１１’に内設されており、ＬＥＤ素子１３’が発光するとき、ＬＥＤ素子１３’の発生熱がシェイド１１’内部に滞留し発散できないため、反射シート１４’と導光板１５’の劣化を引き起し、ＬＥＤ背光モジュールの使用寿命が短縮される。
【０００５】
前述側面照射式ＬＥＤ背光モジュール１’の熱滞留問題について、ＬＥＤ背光モジュール業者より一種の改良の側光式ＬＥＤ背光モジュールを提供している。
図２は、改良の側面照射式ＬＥＤ背光モジュールの側面図を示したものである。
図示のように、改良の側面照射式ＬＥＤ背光モジュール１ａは主にシェイド１１ａ、反射シート１４ａ、回路基板１２ａ、複数のＬＥＤ素子１３ａ、導光板１５ａおよび底部反射シート１６ａを備える。そのうち、反射シート１４ａはシェイド１１ａの内面に貼り付けられ、かつシェイド１１ａと反射シート１４ａとも複数の穴を設けられており、複数のＬＥＤ素子１３ａは前述複数の穴より、シェイド１１ａの外部からシェイド１１ａの内部に配置することができる。このような設計により、回路基板１２ａをシェイド１１ａの外部に設けることができる。よって、ＬＥＤ素子１３ａが発光するときの発生熱は、回路基板１２ａから放出できる。
【０００６】
前述した改良された側面照射式ＬＥＤ背光モジュール１ａは公知技術の側面照射式ＬＥＤ背光モジュールによる熱滞留問題を解決されているが、図２に示したように、シェイド１１ａと反射シート１４ａの合計の厚みはｔであり、シェイド１１ａ内部に配置されたＬＥＤ素子１３ａの有効な光出射面１３１ａの面積が縮小され、ＬＥＤ素子１３ａの光出射面１３１ａの面積よりも小さくなるため、光出射面１３１ａ経由した出射光をそのまま導光板１５ａの光入射面１５１ａに入射することができなく、改良の側面照射式ＬＥＤ背光モジュール１ａの光源の捕らえ効果が悪い。
【課題を解決するための手段】
【０００７】
本考案は前述した従来の改良された側面照射式該改良的側光式ＬＥＤ背光モジュールの欠点と不足について鑑み、鋭意研究した結果、本考案に係る良好な光源の捕らえ効果を備えた側面照射式ＬＥＤ背光モジュールを想到したものである。
【０００８】
本考案の主な目的は、一種の良好な光源の捕らえ効果を備えた側面照射式ＬＥＤ背光モジュールを提供することである。複数の積み上げ層を銅の回路層とＬＥＤ素子との間に増設することにより、シェイドに内設されたＬＥＤ素子の有効な光出射面の面積をＬＥＤ素子の光出射面の面積に近付けさせ、ＬＥＤ素子から出射する光源を有効に導光板の光入射面に入射させ、良好な光源の捕らえ効果を実現する。
【０００９】
本考案第２の目的は、一種の良好な光源の捕らえ効果を備えた側面照射式ＬＥＤ背光モジュールを提供することである。複数の積み上げ層を銅の回路層とＬＥＤ素子との間に増設することにより、ＬＥＤ素子の出射光を有効に導光板の光入射面に入射させ、良好な光源を捕らえる効果を実現する。さらに、金属シェイドと薄い金属層を利用し、ＬＥＤ背光モジュールの放熱効果を強化し、ＬＥＤ背光モジュールの応用を増やせる。
【００１０】
本考案の目的を達成するため、主に反射シート、銅の回路層、複数のＬＥＤ素子、一つの導光板と複数の積み上げ層とを備えた一種の良好な光源の捕らえ効果を備えた側面照射式ＬＥＤ背光モジュールを提供する。
【００１１】
反射シートを折り曲げてシェイドを形成し、かつ複数の第１穴を備える。銅の回路層はシェイドの外側に貼り付けられており、第１表面と第２表面を備え、第１表面に複数の半田パッドを有する。複数のＬＥＤ素子は銅の回路層に備える第１表面に設けられ、光出射面を備える。そのうち、銅の回路層を反射シートの外側に貼り付けるときは、複数のＬＥＤ素子は複数の第１穴に対応してシェイドの内部に配置される。
【００１２】
導光板はシェイドの内部に収容され、光出射面を複数のＬＥＤ素子の光出射面に対向して設置し、光出射面からの出射光源を受け入れて、光線を光出射面に拡散させる。複数の積み上げ層は導電性を有し、それぞれ銅の回路層に備える複数の半田パッドに設ける。そのうち、銅の回路層に設ける複数のＬＥＤ素子は対応して複数の積み上げ層に半田付ける。積み上げ層の設置により、シェイドに内設されたＬＥＤ素子の有効な光出射面の面積をＬＥＤ素子の光出射面の面積に近付けさせる。
【００１３】
さらに、本考案の第２目的を達成するため、主にシェイド、反射シート、銅の回路層、複数のＬＥＤ素子、一つの導光板と複数の積み上げ層とを備える。そのうち、シェイドに複数の第２穴を備えた一種の良好な光源の捕らえ効果を備えた側面照射式ＬＥＤ背光モジュールを提供する。
【００１４】
反射シートをシェイドの内面に貼り付け、複数の第１穴を備える。反射シートをシェイドの内面に貼り付けるとき、複数の第１穴はそれぞれ複数の第２穴に対応される。銅の回路層はシェイドの外側に貼り付けられており、第１表面と第２表面を備え、第１表面に複数の半田パッドを有する。複数のＬＥＤ素子は銅の回路層の第１表面に設けられ、光出射面を備える。そのうち、銅の回路層をシェイドの外側に貼り付けるとき、複数のＬＥＤ素子は複数の第１穴と第２穴に対応してシェイドの内部に配置する。
【００１５】
導光板はシェイドの内部に収容され、光出射面を複数のＬＥＤ素子の光出射面に対向して設置し、光出射面からの出射光源を受け入れて、光線を光出射面に拡散させる。複数の積み上げ層は導電性を有し、それぞれ銅の回路層に備える複数の半田パッドに設ける。そのうち、銅の回路層に設ける複数のＬＥＤ素子は対応して、複数の積み上げ層に半田付ける。積み上げ層により、シェイドの内部に配置されたＬＥＤ素子の有効な光出射面の面積をＬＥＤ素子の光出射面の面積に近付けさせる。
【考案の効果】
【００１６】
このように、本考案の良好な光源の捕らえ効果を備えた側面照射式ＬＥＤ背光モジュールの改良実施例１ないし６をすべて詳細にわたり開示しており、以下説明のとおり、本考案は以下の長所があることが明確である。
【００１７】
（イ）本考案は積み上げ層の設置により、シェイドに内設されたＬＥＤ素子の光出射面の面積をＬＥＤ素子の光出射面の面積に近付けさせる。これにより、複数のＬＥＤ素子が発光するとき、ＬＥＤ素子からの出射光源は、有効に導光板の光入射面に入射し、良好な光源の捕らえ効果を実現できる。
【００１８】
（ロ）本考案の実施例１ないし３において、反射シートをそのままシェイドとして使用しており、良好な光源の捕らえ効果を備えた側面照射式ＬＥＤ背光モジュール全体の厚みを減少し、薄型液晶表示装置に応用できる。
【００１９】
（ハ）前述した（ロ）に続き、良好な伝熱効果の薄い金属層の設置により、本考案の良好な光源の捕らえ効果を備えた側面照射式ＬＥＤ背光モジュール全体の放熱効果を強化し、ＬＥＤ背光モジュールおよびＬＥＤ背光モジュールを応用した薄型液晶表示装置の使用寿命を一層に延長できる。
【００２０】
（二）本考案はさらに実施例４ないし６が提供されている。実施例１ないし３に比べ、本考案実施例４ないし６は複数のＬＥＤ素子と導光板を収容するため、金属シェイドが使用されている。このような設計により、金属シェイドをもってＬＥＤ素子の放熱がより完全化できるほか、ＬＥＤ背光モジュールの応用を広げる。
【図面の簡単な説明】
【００２１】
【図１】公知技術の側面照射式ＬＥＤ背光モジュールの側面図である。
【図２】改良の側面照射式ＬＥＤ背光モジュールの側面図である。
【図３】本考案の実施例１に係る良好な光源の捕らえ効果を備えた側面照射式ＬＥＤ背光モジュールの側面図である。
【図４】良好な光源の捕らえ効果を備えた側面照射式ＬＥＤ背光モジュールの上面図である。
【図５】良好な光源の捕らえ効果を備えた側面照射式ＬＥＤ背光モジュールの反射シートの展開図である。
【図６】本考案の実施例２に係る良好な光源の捕らえ効果を備えた側面照射式ＬＥＤ背光モジュールの側面図である。
【図７】本考案の実施例３に係る良好な光源の捕らえ効果を備えた側面照射式ＬＥＤ背光モジュールの側面図である。
【図８】本考案の実施例４に係る良好な光源の捕らえ効果を備えた側面照射式ＬＥＤ背光モジュールの側面図である。
【図９】良好な光源の捕らえ効果を備えた側面照射式ＬＥＤ背光モジュール実施例４の上面図である。
【図１０】本考案の実施例５に係る良好な光源の捕らえ効果を備えた側面照射式ＬＥＤ背光モジュールの側面図である。
【図１１】本考案の実施例６に係る良好な光源の捕らえ効果を備えた側面照射式ＬＥＤ背光モジュールの側面図である。
【考案を実施するための形態】
【００２２】
以下に、図面と参照しながら本考案の好ましい実施例について詳細に説明する。
【実施例】
【００２３】
以下に図面を参照しながら、本考案の良好な光源の捕らえ効果を備えた側面照射式ＬＥＤ背光モジュールについて詳しく説明する。
【００２４】
以降の詳細な説明は、本考案の好ましい実施例について説明するものであって、本考案はこれらの実施例に制限されるものではない。本考案の技術精神に基づく等しい効果の応用又は変更は、すべて本考案に含まれるものである。
【００２５】
本考案に係る良好な光源の捕らえ効果を備えた側面照射式ＬＥＤ背光モジュールは、合計４つの実施例を開示する。
図３と４は、本考案の良好な光源の捕らえ効果を備えた側面照射式ＬＥＤ背光モジュールの実施例１の側面図と上面ＬＥＤ図を示したものである。図示のように、本考案の実施例１に係る良好な光源の捕らえ効果を備えた側面照射式ＬＥＤ背光モジュール１は、主に、反射シート１４、銅の回路層１２、複数のＬＥＤ素子１３、一つの導光板１５と複数の積み上げ層１７とを備える。
【００２６】
公知技術の側面照射式ＬＥＤ背光モジュールに比べ、本考案の良好な光源の捕らえ効果を備えた側面照射式ＬＥＤ背光モジュール１において、反射シート１４を複数のＬＥＤ素子１３と導光板１５を収容するシェイドに使用されている。これにより、ＬＥＤ背光モジュール全体の厚みを減少し、薄型液晶表示装置に応用することができる。さらに、図３に示すように、反射シート１４に反射シートの底辺１４１、反射シートの長手側１４２と反射シートの短辺１４３とを備える。反射シートの底辺１４１、反射シートの長手側１４２と反射シートの短辺１４３を折り曲げてシェイドを形成する。さらに、反射シート１４１に備える反射シートの長手側１４２はさらに複数の第１穴１４２１を開けられている。
【００２７】
銅の回路層１２の第１表面１２１は反射シート１４１に備える反射シートの長手側１４２の外側に貼り付けられている。そのうち、第１表面１２１に複数の半田パッド（図示しない）を設けられている。さらに、第１表面１２１に対して、銅の回路層１２はさらに、第２表面１２２を備える。複数のＬＥＤ素子１３は銅の回路層１２の第１表面１２１に設けられ、光出射面１３１を備える。図３に示すように、銅の回路層１２を反射シート１４に備える反射シートの長手側１４２の外側に貼り付けるときは、複数のＬＥＤ素子１３は複数の第１穴１４２１に対応してシェイドの内部に配置される。
【００２８】
導光板１５はシェイドの内部に収容され、光出射面１５１を複数のＬＥＤ素子１３の光出射面１３１に対向して設置し、光出射面１３１からの出射光源を受け入れて、光線を光出射面１５に拡散させる。公知技術に比べ、本考案の良好な光源の捕らえ効果を備えた側面照射式ＬＥＤ背光モジュール１の実施例１において、底部反射シートの代わりに、反射シートの長手側１４２を底部反射シートとして使用されている。図３に示すように、導光板１５を反射シート１４２からなるシェイドの内部に収容されたとき、反射シートの長手側１４２を導光板１５の底面１５３貼り付け、底面１５３を光出射面１５２に対向させる。これにより、反射シートの長手側１４２の長さを延長し、導光板の底面１５３に貼り付けることにより、光源が導光板１５の底面１５３からの漏れることを防止できる。
【００２９】
複数の積み上げ層１７は導電性を有し、それぞれ銅の回路層１２に備える複数の半田パッドに設ける。そのうち、銅の回路層１２に設けられた複数のＬＥＤ素子１３は対応して複数の積み上げ層１７に半田付けされている。積み上げ層１７の設置により、シェイドの内部に進入するＬＥＤ素子１３の有効な光出射面の面積をＬＥＤ素子１３の光出射面１３１の面積に近付けさせ、ＬＥＤ素子１３の出射光源を有効に導光板１５の光入射面１５１に入射させ、良好な光源を捕らえる効果を達成できる。
【００３０】
引き続き、図３と図５に良好な光源の捕らえ効果を備えた側面照射式ＬＥＤ背光モジュールの反射シートの展開図を示す。
図５に示すように、反射シート１４において、反射シートの底面１４１と反射シートの短辺１４３との間に第１切欠き１４１１を有し、かつ反射シートの底辺１４１と反射シートの長手側１４２との間に第２切欠き１４１２を有する。この設計により、良好な光源の捕らえ効果を備えた側面照射式ＬＥＤ背光モジュールの製造者は側面照射式ＬＥＤ背光モジュールを生産するときに、反射シート１４を展開させ、ＬＥＤ素子１３と積み上げ層１７を反射シート１４の後方（図５に示す）に組み入れた後、直接に展開された反射シート１４を液晶表示装置の組立業者に出荷することができる。組立業者は第１切欠き１４１１と第２切欠き１４１２より反射シート１４を折り曲げて、反射シート１４をシェイドに仕上げる。引き続き、導光板１５と底部反射シートをシェイドの内部に取り付ける。これにより、簡単に良好な光源の捕らえ効果を備えた側面照射式ＬＥＤ背光モジュール１（図３に示す）を仕上げて、液晶表示装置に取り付けることができる。
【００３１】
このほか、前述良好な光源の捕らえ効果を備えた側面照射式ＬＥＤ背光モジュール１の放熱効果を強化するため、本考案はさらに良好な光源の捕らえ効果を備えた側面照射式ＬＥＤ背光モジュールの実施例２を開示する。
図６は、実施例２に係る良好な光源の捕らえ効果を備えた側面照射式ＬＥＤ背光モジュールの側面図を示したものである。図示のように、良好な伝熱効果の薄い金属層１８を実施例１に増設することにより、良好な光源の捕らえ効果を備えた側面照射式ＬＥＤ背光モジュール１を完成する。図６に示すように、良好な伝熱効果の薄い金属層１８は銅の回路層１２に備える第２表面１２２に貼り付けられており、薄い金属層１８の部材はアルミ、ステンレスまたは銅のいずれか選択できる。さらに、本考案は背光モジュール全体のコストを軽減するため、アルミを薄い金属層１８の部材として使用されている。良好な光源の捕らえ効果を備えた側面照射式ＬＥＤ背光モジュール１実施例２において、複数のＬＥＤ素子１３が発光するときの発生熱は、銅の回路層１２を経由して薄い金属層１８に伝導させ、薄い金属層１８によって有効に放熱させる。
【００３２】
ここで特に説明することは、お客側（すなわち、液晶表示装置の組立業者）は自ら導光板と底部反射シートを組立するときに備えて、本考案の良好な光源の捕らえ効果を備えた側面照射式ＬＥＤ背光モジュール１は実施例３によって実現できる。
図７は、本考案の実施例３に係る良好な光源の捕らえ効果を備えた側面照射式ＬＥＤ背光モジュールの側面図である。図示のように、底部反射シート１６を良好な光源の捕らえ効果を備えた側面照射式ＬＥＤ背光モジュール実施例１に増設することにより、実施例３の構造を仕上げる。そのうち、底部反射シート１６は導光板１５の底面１５３に貼り付けて、導光板１５に入射する光源の漏れを防止できる。
【００３３】
図８と９は、本考案の実施例４に係る良好な光源の捕らえ効果を備えた側面照射式ＬＥＤ背光モジュールの側面図と上面図である。図示のように、本考案の良好な光源の捕らえ効果を備えた側面照射式ＬＥＤ背光モジュール１の実施例４は主に、シェイド１１ｂ、反射シート１４ｂ、銅の回路層１２ｂ、複数のＬＥＤ素子１３ｂ、一つの導光板１５ｂと複数の積み上げ層１７ｂとを備える。
【００３４】
シェイド１１ｂは複数の第２穴１１２１ｂを備えた金属シェイドである。図８に示すように、シェイド１１ｂはさらにシェイドの底辺１１１ｂ、シェイドの長手側１１２ｂとシェイドの短辺１１３ｂ、とを備える。そのうち、複数の第２穴１１２１ｂはシェイドの長手側１１２ｂに形成されている。組み立てするときは、折り曲げ方式により、シェイドの底辺１１１ｂ、シェイドの長手側１１２ｂとシェイドの短辺１１３ｂをたとえば、Ｌ字型または逆Ｕ字形など特定外形のシェイド形成し、複数のＬＥＤ素子１３ｂと導光板１５ｂを収容する。
【００３５】
反射シート１４ｂをシェイドの底辺１１ｂの内面に貼り付け、反射シートの底辺１４１ｂ、反射シートの長手側１４２ｂと反射シートの短辺１４３ｂ、とを備える。そのうち、反射シートの長手側１４２ｂに複数の第１穴１４２１ｂが開けられている。良好な光源の捕らえ効果を備えた側面照射式ＬＥＤ背光モジュール１実施例４において、反射シートの底辺１４１ｂをシェイドの底辺１１１ｂに貼り付けた後、それぞれ反射シートの長手側１４２ｂと反射シートの短辺１４３ｂをシェイドの長手側１１２ｂとシェイドの短辺１１３ｂに貼り付ける。これにより、反射シート１４ｂを簡単、かつ安定にシェイド１１ｂに取り付けすることができると同時に、このような反射シート１４ｂとシェイド１１ｂの方式は反射シート１４ｂとシェイド１１ｂと結合するときに反射シート１４ｂの破損を防止できる。よって、反射シート１４ｂの反射効率を維持できる。
【００３６】
ここで特に説明することは、反射シート１４ｂをシェイド１１ｂの内面に貼り付けるとき、複数の第１穴１４２１ｂがそれぞれ複数の第２穴１１２１ｂに対応されている。さらに、前述した本考案の実施例１に比べ、良好な光源の捕らえ効果を備えた側面照射式ＬＥＤ背光モジュール１の実施例４において、底部反射シートの代わりに、反射シートの長手側１４２ｂを底部反射シートに使用されている。図８に示すように、導光板１５ｂを反射シート１４２ｂより形成するシェイドの内部に収容した後、反射シートの長手側１４２ｂが延在して導光板１５ｂの底面１５３ｂに貼り付けられる。これにより、反射シートの長手側１４２ｂを底面１５３ｂに貼り付けすることにより、光源が導光板１５ｂの底面１５３ｂより漏れることを防止できる。
【００３７】
引き続き、図８と９を参照して説明する。銅の回路層１２ｂはシェイド１１ｂの外側に貼り付けられ、第１表面１２１ｂと第２表面１２２ｂを有し、第１表面１２１ｂに複数の半田パッドを有する。複数のＬＥＤ素子１３ｂを銅の回路層１２ｂの第１表面１２１ｂに設けられ、光出射面１３１ｂを有する。そのうち、銅の回路層１２ｂがシェイド１１ｂの外側に貼り付けられたとき、複数のＬＥＤ素子１３ｂは対応して、複数の第１穴１４２１ｂと複数の第２穴１１２１ｂをくぐらして、シェイド１１ｂの内部に配置する。導光板１５ｂはシェイド１１ｂの内部に収容され、光出射面１５１ｂを複数のＬＥＤ素子１３ｂの光出射面１３１ｂに対向して設置し、光出射面１３１ｂからの出射光源を受け入れて、光線を光出射面１５２ｂに拡散させる。
【００３８】
引き続き、図８と９を参照して説明する。複数の積み上げ層１７ｂが導電性を有し、それぞれ銅の回路層１２ｂに備える複数の半田パッドに設ける。銅の回路層１２ｂに設ける複数のＬＥＤ素子１３ｂを対応して複数の積み上げ層１７ｂに半田付ける。積み上げ層１７ｂの設置により、シェイド１１ｂの内部に配置されたＬＥＤ素子１３ｂの有効な光出射面の面積がＬＥＤ素子１３ｂの光出射面１３１ｂの面積に近付けさせ、ＬＥＤ素子１３ｂの出射光源が有効に導光板１５ｂの光入射面１５１ｂに入射し、良好な光源を捕らえる効果を実現できる。
【００３９】
このほか、前述した実施例４の放熱効果を強化するため、本考案はさらに良好な光源の捕らえ効果を備えた側面照射式ＬＥＤ背光モジュールの実施例５を開示する。図１０は、実施例５に係る良好な光源の捕らえ効果を備えた側面照射式ＬＥＤ背光モジュールの側面図である。図示のように、良好な伝熱効果の薄い金属層１８ｂを実施例４に増設することにより、良好な光源の捕らえ効果を備えた側面照射式ＬＥＤ背光モジュール１の実施例５を完成する。
【００４０】
図示のように、良好な伝熱効果の薄い金属層１８ｂは銅の回路層１２ｂの第２表面１２２ｂに貼り付けられている。薄い金属層１８ｂの部材はたとえば、アルミ、ステンレスまたは銅であり、さらに、背光モジュール全体のコストを配慮し、実施例５において、薄い金属層１８ｂが使用されている。このように、複数のＬＥＤ素子１３ｂの発行による発生熱は、銅の回路層１２ｂから薄い金属層１８ｂに伝導させ、有効に放熱させる。
【００４１】
同じく、実施例４において、お客側（すなわち、液晶表示装置の組立業者）は自ら導光板１５ｂと底部反射シートをシェイド１１ｂに組立するときに備えて、本考案の良好な光源の捕らえ効果を備えた側面照射式ＬＥＤ背光モジュール１は実施例６によって実現できる。
図１１は、本考案の実施例６に係る良好な光源の捕らえ効果を備えた側面照射式ＬＥＤ背光モジュールの側面図である。図に示すように底部反射シート１６ｂを良好な光源の捕らえ効果を備えた側面照射式ＬＥＤ背光モジュール１実施例４に増設することにより、実施例６の構造を仕上げる。そのうち、底部反射シート１６ｂを導光板１５ｂの底面１５３ｂに貼り付けて、導光板１５ｂに入射する光源の漏れを防止できる。
【符号の説明】
【００４２】
１            良好な光源の捕らえ効果を備えた側面照射式ＬＥＤ背光モジュール
１’          側面照射式ＬＥＤ背光モジュール
１ａ          改良の側面照射式ＬＥＤ背光モジュール
１１’、１１ａ、１１ｂシェイド
１１１’        底部
１１１ｂ        シェイドの底辺
１１２’        短辺
１１２１ｂ        第２穴
１１２ｂ        シェイドの長手側
１１３’        長手側
１１３ｂ        シェイドの短辺
１２、１２ｂ      銅の回路層
１２’、１２ａ    回路基板
１２１、１２１ｂ    第１表面
１２２、１２２ｂ    第２表面
１３、１３’、１３ａ、１３ｂ            ＬＥＤ素子
１３１、１３１ａ、１３１ｂ            光出射面
１４、１４’、１４ａ、１４ｂ            反射シート
１４１、１４１ｂ    反射シートの底辺
１４１１        第１切欠き部
１４１２        第２切欠き部
１４２、１４２ｂ    反射シートの長手側
１４２１、１４２１ｂ  第１穴
１４３、１４３ｂ    反射シートの底辺
１５          導光板
１５１、１５１ａ、１５１ｂ            光入射面
１５２、１５２ｂ    光出射面
１５３、１５３ｂ    底面
１６、１６’、１６ａ、１６ｂ            底部反射シート
１７、１７ｂ      積み上げ層
１７’        絶縁の熱伝導グルー
１８、１８ｂ      薄い金属層
【図１】
0003167521.tif 000003
【図２】
0003167521.tif 000004
【図３】
0003167521.tif 000005
【図４】
0003167521.tif 000006
【図５】
0003167521.tif 000007
【図６】
0003167521.tif 000008
【図７】
0003167521.tif 000009
【図８】
0003167521.tif 000010
【図９】
0003167521.tif 000011
【図１０】
0003167521.tif 000012
【図１１】
0003167521.tif 000013